(57)【要約】【課題】制御不能に陥ったネットワーク機器等に搭載された電子回路を、より確実に自動的にリセットさせることのできるリセット信号発生装置を提供する。【解決手段】ノイズ信号を検出すると共に、その検出したノイズ信号に対応したノイズ電圧値を生成出力するアンテナ体１と、所定の電圧値に対し、生成したノイズ電圧値が大きいとき又は小さいときに、電子回路３を初期化するリセット信号を生成して電子回路部３に出力するリセット信号出力部２とを備えてなる。【選択図】　　　　図１
2004032241.tif 000002
【特許請求の範囲】
【請求項１】
電子回路を初期化させるリセット信号を生成出力するリセット信号発生装置であって、ノイズ信号を検出可能に形成されると共に、その検出したノイズ信号に対応したノイズ電圧値を生成出力するアンテナ体と、前記ノイズ電圧値及び所定の電圧値を比較して、前記ノイズ電圧値が所定の電圧値より大きい又は小さいときに、前記リセット信号を生成して前記電子回路に出力するリセット信号出力部と、を備えたことを特徴とするリセット信号発生装置。
【請求項２】
前記アンテナ体は、前記電子回路を設けたプリント基板にパターン形成されてなることを特徴とする請求項１に記載のリセット信号発生装置。
【請求項３】
前記アンテナ体は、導電性のワイヤからなり、前記電子回路を収納するケース内の空隙部分に設けられたことを特徴とする請求項１に記載のリセット信号発生装置。
【請求項４】
前記アンテナ体は、導電性のワイヤからなり、前記電子回路を収納するケース内に配線されている配線ケーブルに並設されたことを特徴とする請求項１に記載のリセット信号発生装置。
【請求項５】
前記アンテナ体は、前記電子回路を収納するケースの内方に設けられた金属板でもって形成されたことを特徴とする請求項１に記載のリセット信号発生装置。
【請求項６】
前記リセット信号出力部は、前記リセット信号の出力時間を変更自在に形成されると共に、その出力時間を制御する出力時間制御手段をも備えたことを特徴とする請求項１乃至請求項５のいずれかに記載のリセット信号発生装置。
【請求項７】
請求項１乃至請求項６のいずれかに記載のリセット信号発生装置を備えたことを特徴とするネットワーク機器。
【発明の詳細な説明】
【０００１】
【発明の属する技術分野】
本発明は、電子回路を初期化させるリセット信号を生成出力するリセット信号発生装置及びそれを用いたネットワーク機器に関する。
【０００２】
【従来の技術】
ＩＣ素子等の電子回路を搭載したネットワーク機器が、外来のノイズ信号により制御不能状態となった場合には、その制御不能状態から正常な状態に復帰させる必要があった。従来、その方法の一つとしては、制御不能状態のネットワーク機器の電源を手動で切断し、その後再度起動させることにより、復帰させていた。
【０００３】
しかし、この方法では、ネットワーク機器が制御不能な状態になる度に、そのネットワーク機器の設置場所に行き、制御不能となったネットワーク機器を探し出して特定し、その電源を切断すると共に再起動させる必要があり、非常に手間のかかるものであった。これは、ネットワーク機器の設置場所が遠隔地であったり、複数のネットワーク機器が同じ場所に設置されていた場合には、特に手間がかかるものであった。
【０００４】
そこで、ネットワーク機器にウオッチドッグタイマを設けておき、そのネットワーク機器が制御不能状態となった場合には、手動でなく、自動的に再起動するようにしたものもある。これは、ウオッチドッグタイマが、一定時間内にイニシャライズされない場合には、そのネットワーク機器が暴走して制御不能になっていると判断し、ネットワーク機器に搭載されたＣＰＵをソフトウエア的にリセットすることで、正常な状態に自動的に復帰するようにしたものである。
【０００５】
【発明が解決しようとする課題】
しかしながら、このウオッチドッグタイマを搭載したネットワーク機器では、そのウオッチドッグタイマによるＣＰＵのリセットまでの間に、ＣＰＵの暴走が起きてしまうと、メモリ内に格納されたリセット実行指令のプログラムコードが破壊されて、リセットできなくなることがあった。
【０００６】
そこで、本発明は上記問題点に鑑みてなされたもので、その目的とするところは、ネットワーク機器等に搭載された電子回路を、より安定して自動的にリセットさせることのできるリセット信号発生装置及びそれを用いたネットワーク機器を提供することにある。
【０００７】
【課題を解決するための手段】
本発明の請求項１に係わるリセット信号発生装置は、電子回路を初期化させるリセット信号を生成出力するリセット信号発生装置であって、ノイズ信号を検出可能に形成されると共に、その検出したノイズ信号に対応したノイズ電圧値を生成出力するアンテナ体と、前記ノイズ電圧値及び所定の電圧値を比較して、前記ノイズ電圧値が所定の電圧値より大きい又は小さいときに、前記リセット信号を生成して前記電子回路に出力するリセット信号出力部と、を備えたことを特徴とする。
【０００８】
請求項２の発明では、請求項１の発明において、前記アンテナ体は、前記電子回路を設けたプリント基板にパターン形成されてなることを特徴とする。
【０００９】
請求項３の発明では、請求項１の発明において、前記アンテナ体は、導電性のワイヤからなり、前記電子回路を収納するケース内の空隙部分に設けられたことを特徴とする。
【００１０】
請求項４の発明では、請求項１の発明において、前記アンテナ体は、導電性のワイヤからなり、前記電子回路を収納するケース内に配線されている配線ケーブルに並設されたことを特徴とする。
【００１１】
請求項５の発明では、請求項１の発明において、前記アンテナ体は、前記電子回路を収納するケースの内方に設けられた金属板でもって形成されたことを特徴とする。
【００１２】
請求項６の発明では、請求項１乃至請求項５の発明において、前記リセット信号出力部は、前記リセット信号の出力時間を変更自在に形成されると共に、その出力時間を制御する出力時間制御手段をも備えたことを特徴とする。
【００１３】
本発明の請求項７に係わるネットワーク機器は、請求項１乃至請求項６に記載のリセット信号発生装置を備えたことを特徴とする。
【００１４】
【発明の実施の形態】
以下、本発明の実施の形態を図示例と共に説明する。
【００１５】
（第１実施形態）
本発明に係わるリセット信号発生装置の第１の実施の形態を、図１、図２を参照して以下に説明する。本実施の形態におけるリセット信号発生装置は、ノイズ信号を検出すると共に、その検出したノイズ信号に対応したノイズ電圧値を生成するアンテナ体１と、ノイズ電圧値が、所定の電圧値に対して大きいとき又は小さいときに、リセット信号を生成して、電子回路部３に出力するリセット信号出力部２と、を備えている。また、電力供給部４は、アンテナ体１を介して、リセット信号出力部２に電力を供給している。この電力供給部４と、リセット信号出力部２と、電子回路部３とは、同じプリント基板Ａ１上に形成されると共に、プリント基板Ａ１上にパターン形成された配線を介して電気的に接続されている。
【００１６】
また、ネットワーク機器としては、ＣＰＵ（Ｃｅｎｔｒａｌ　Ｐｒｏｃｃｅｓｓｉｎｇ　Ｕｎｉｔ）を備えず、ネットワークの管理機能を有さないスイッチングハブＨとしている。このスイッチングハブＨは、このリセット信号発生装置と、外部からの電源を変圧する変圧器６１と、その変圧器６１から供給される電力を伝送する電力ケーブル６２と、複数のポートを有してなるモジュラジャック部５とを備えている。なお、図２は、スイッチングハブＨを、上方から見た図としている。
【００１７】
図２に示すように、アンテナ体１は、スイッチングハブＨのケースＡ内に収納されたプリント基板Ａ１と、ケースＡとの間の空隙部分に設けられた、導電性の金属ワイヤ１０よりなるものとしている。この金属ワイヤ１０が、ケースＡの内部に設けられたので、ケースＡ内に発生したノイズ信号を精度よく検出することができる。また、この金属ワイヤ１０の一端部が、ケースＡ内部に収納された電力供給部４に電気的に接続されると共に、その他端部は、リセット信号出力部２に電気的に接続されて、ループ状に閉回路となるよう形成されており、この両端部以外では、他の導電体に接触しないように設けられている。なお、この金属ワイヤ１０の材料としては、ノイズ信号を検出可能なものであれば、どのようなものでもよく、例えば、アルミニウム、鉄、銅などの導電材料を用いることができる。また、ケースＡは、アルミニウム、スチールなどの金属で形成してもよく、導電性を有さないアクリル樹脂、プラスチック、マグネシウム合金等で形成してもよい。
【００１８】
電力供給部４は、電源部４１と、この電源部４１に電気的に接続された抵抗器４２とを備えて形成されている。電源部４１は、変圧器６１から電力を受けると共に、その電力を抵抗器４２及び金属ワイヤ１０を介して、リセット信号出力部２に伝送している。
【００１９】
リセット信号出力部２は、電圧比較の際の基準となる基準電圧を出力する基準電圧回路部２２と、この基準電圧回路部２２及び金属ワイヤ１０の他端部に電気的に接続されて、この双方の電圧値の大きさを比較するコンパレータ２１と、このコンパレータ２１が出力する比較結果信号を受信して、電子回路部３を初期化するリセット信号を生成するリセット信号生成部２３と、そのリセット信号の出力時間の長さを制御する出力時間制御手段としてのコンデンサ部２４と、を備えている。
【００２０】
コンパレータ２１は、基準電圧回路部２２から受信する基準電圧の電圧値と、金属ワイヤ１０から出力されるノイズ電圧値とを比較する。金属ワイヤ１０から出力されるノイズ電圧値は、ノイズ信号により金属ワイヤ１０に誘起された電圧と、電力供給部４からの電圧とを加算したものとしているので、誘起された電圧が零であった場合には、コンパレータ２１が受信するノイズ電圧値は、電力供給部４からの電圧値と同じとなる。逆に、金属ワイヤ１０で誘起される電圧が零でなければ、その誘起された電圧を電力供給部４からの電圧に加えたものが、ノイズ電圧値となるので、このノイズ電圧値と、電力供給部４からの電圧値とは異なるものとなる。従って、ノイズ電圧値が、電力供給部４からの電圧値と同じであれば、ノイズ信号は検出されていないことになり、逆に、異なっていれば、ノイズ信号は検出されていることになる。そこで、基準電圧回路部２２の基準電圧を、電力供給部４の供給電圧と同じと電圧値にしている。これにより、コンパレータ２１が、ノイズ電圧値と、基準電圧とを比較したとき、ノイズ電圧値が、基準電圧の電圧値を上回ったとき、又は下回ったときには、出力する比較結果信号を変化させるようにしている。なお、この比較結果信号の出力変化は、出力のＯＮ／ＯＦＦとしており、ノイズ電圧値と基準電圧との間で電圧値が相互に異なったときは出力をＯＮ、それ以外のときには出力をＯＦＦとしている。
【００２１】
リセット信号生成部２３は、コンパレータ２１からの比較結果信号がＯＮとなったことを検知すると、リセット信号を生成して、電子回路部３に出力する。このリセット信号は、所定の電圧値の矩形波としている。この矩形波の出力時間は、コンデンサ部２４に貯蓄された電気量により変化する。すなわち、リセット信号は、コンデンサ部２４に貯蓄された電気を、所定の電圧値で放出するものとしているので、コンデンサ部２４の容量を大きくすれば、リセット信号の出力時間を長くすることができ、逆に容量を小さくすれば、その出力時間を短くすることができる。
【００２２】
電子回路部３は、リセット信号生成部２３からのリセット信号を受信可能に形成されており、リセット信号を受信することで、スイッチングハブＨの電源を一旦切断し、その後、自動的に再起動するよう形成されている。この再起動により、スイッチングハブＨが、制御不能に陥った場合にも、自動的に正常な状態に復帰することができる。
【００２３】
次に、本実施の形態におけるリセット信号生成装置の動作を以下に説明する。
スイッチングハブＨのケースＡ内に設けられた金属ワイヤ１０がノイズ信号を検出していないときには、この金属ワイヤ１０には電圧は誘起されていない。従って、コンパレータ２１は、基準電圧と同じ電圧値のノイズ電圧値を、金属ワイヤ１０から受信する。このノイズ電圧値は、基準電圧と同電位であるので、コンパレータ２１は、その比較結果出力をＯＦＦ（電圧値が零ボルトの出力）とする。
【００２４】
ここで、スイッチングハブＨの周囲に発生したノイズ信号によりネットワーク機器が暴走して制御不能になったとする。
【００２５】
このとき、金属ワイヤ１０は、その発生したノイズ信号を検出すると共に、検出したノイズ信号に対応した大きさの電圧が誘起されている。コンパレータ２１は、この誘起された電圧に、電力供給部４からの電圧を加算したものを、ノイズ電圧値として受信する。誘起された電圧が零ボルトでないので、ノイズ電圧値は、基準電圧と同電位ではない。
【００２６】
コンパレータ２１が、ノイズ電圧値と基準電圧とを比較すると、双方で電圧値が異なるため、比較結果信号の出力をＯＮ（電圧値が零ボルトでない出力）とする。
【００２７】
この比較結果信号を受信したリセット信号生成部２３は、コンデンサ部２４に貯蓄しておいた電気を、リセット信号として所定の電圧値で出力する。このリセット信号の出力は、コンデンサ部２４に貯蓄された電気がなくなるまで継続される。
【００２８】
電子回路部３は、このリセット信号を受信している間、スイッチングハブＨを初期化動作させ続ける。これにより、スイッチングハブＨは、制御不能状態から正常な状態に復帰することが可能となる。以上を、本実施の形態におけるリセット信号発生装置の動作としている。
【００２９】
なお、本実施の形態では、ネットワーク機器としては、ネットワーク管理機能を有していないスイッチングハブＨを用いたが、その他にも、ＣＰＵを搭載させてネットワーク管理機能を持たせたインテリジェントハブ、２つのポートのみを有するリピータハブ、ＵＳＢハブ等に搭載させることができる。この場合においても、同様の効果を容易に奏させることができる。また、ウオッチドッグタイマを使用したリセットシステム、制御部を監視することによりリセットするシステムなどを搭載したネットワーク機器にも、このリセット信号発生装置を併設しておけば、より一層確実に、制御不能状態から復帰させることが可能となる。
【００３０】
上記のように、ノイズ信号を検出する金属ワイヤ１０と、その検出したノイズ信号に対応したリセット信号を生成するリセット信号出力部２とを設けたので、制御不能となったスイッチングハブＨを、簡単な構成で自動的に復帰させることができる。
【００３１】
（第２実施形態）
本発明に係わるリセット信号発生装置の第２の実施の形態を、図３を参照して以下に説明する。本実施の形態におけるリセット信号発生装置は、ノイズ信号を検出するアンテナ体を、プリント基板Ａ１上にパターン形成した導電路１１としている。なお、第１の実施の形態と同じものには、同じ符号を付している。
【００３２】
上記のように、電力供給部４とリセット信号出力部２と電子回路部３とが形成されたプリント基板Ａ１上に、ノイズ信号を検出する導電路１１が形成されたので、導電路１１と電子回路部３とが近接し、電子回路部３に影響するノイズ信号をより精度よく検出することが可能となる。また、電子回路部３をプリント基板Ａ１上にパターン形成する際に、同様の工程で導電路１１を形成できるので、導電路１１の形成にかかる手間を低減することができる。
【００３３】
（第３実施形態）
本発明に係わるリセット信号発生装置の第３の実施の形態を、図４を参照して以下に説明する。本実施の形態におけるリセット信号発生装置は、アンテナ体を、複数のプリント基板を電気的に接続するフラットケーブル６３に並設された金属ワイヤ１２としている。なお、図４は、スイッチングハブＨを上方から見た図としている。また、第１及び第２の実施の形態と同じものには、同じ符号を付している。
【００３４】
ケースＡ内に収納された複数のプリント基板としては、リセット信号出力部２と電子回路部３と電力供給部４とが形成されたプリント基板Ａ１と、スイッチングハブＨの動作状態を示すＬＥＤ（Ｌｉｇｈｔ　Ｅｍｉｔｔｉｎｇ　Ｄｉｏｄｅ）（図示せず）や、キースイッチ部（図示せず）が形成されたプリント基板Ａ２としており、これらのプリント基板同士が、複数の導電線を一列にまとめたフラットケーブル６３により電気的に接続されている。
【００３５】
フラットケーブル６３は、複数の導電線が、それぞれ絶縁被膜により被覆されていると共に、その導電線の軸方向と直交する方向に複数の導電線が一列になるよう被膜同士が接着されて形成されたものとしている。このフラットケーブル６３により、ケースＡ内の配線を整理することができると共に、配線の取り回しをも容易にすることができる。
【００３６】
金属ワイヤ１２は、フラットケーブル６３の幅方向の両端部に並設された、金属ワイヤ１２１，１２２を閉回路となるよう結線したものとしている。金属ワイヤ１２１は、その一端部が、電力供給部４に電気的に接続されている。また金属ワイヤ１２２は、その一端部が、リセット信号出力部２に電気的に接続されている。そして、金属ワイヤ１２１の他端部と、金属ワイヤ１２２の他端部とは、プリント基板Ａ２の厚み方向の一面から、対向する他面まで貫装され、他面側で結線されて、閉回路に形成されている。なお、金属ワイヤ１２１，１２２は、プリント基板Ａ２と電気的に分離するよう設けられている。
【００３７】
なお、フラットケーブル６３に２つの金属ワイヤ１２１，１２２を並設する必要はなく、例えば、フラットケーブル６３の中に電源線がある場合には、１つの金属ワイヤ１２１を使用するだけで、ノイズ信号を検出可能となる。そのためには、プリント基板Ａ２に抵抗器（図示せず）を設けておくと共に、その抵抗器に、フラットケーブル６３の中の電源線と、金属ワイヤ１２１とを電気的に接続するだけでよい。
【００３８】
また、フラットケーブル６３の両端部に、金属ワイヤ１２１，１２２を新たに設けることなく、フラットケーブル６３の両端部の導電線を使用して、金属ワイヤ１２を形成するようにしてもよい。さらに、金属ワイヤ１２１，１２２は、フラットケーブル６３の両端部に限定されるものではなく、隣り合うように並設したものであってもよい。さらに、金属ワイヤ１２１，１２２を並設するのは、フラットケーブル６３だけに限定されず、断面丸形状に束ねたケーブルでもあってもよい。
【００３９】
このように、複数のプリント基板同士を電気的に接続するフラットケーブル６３に金属ワイヤ１２を並設したので、フラットケーブル６３に干渉して、スイッチングハブＨを制御不能にするノイズ信号をより効率よく検出することができる。
【００４０】
（第４実施形態）
本発明に係わるリセット信号発生装置の第４の実施の形態を、図５を参照して以下に説明する。本実施の形態におけるリセット信号発生装置は、アンテナ体を導電性の金属板１３よりなるものとしている。なお、図５は、スイッチングハブＨを側方から見た図としている。また、第１乃至第３の実施の形態と同じものには、同じ符号を付している。
【００４１】
スイッチングハブＨのケースＡ内部には、プリント基板が複数密集して収納されているが、電子回路部３の熱を放熱させるための放熱空間や、配線スペース、デザイン、ケースサイズなどにより、ある程度の空き空間が存在する。そこで、この空き空間に、金属板１３を設けるようにしている。
【００４２】
金属板１３は、平板形状に形成されると共に、その一部に端子１３１、他の部分に端子１３２が設けられている。この端子１３１と電力供給部４とを、また、端子１３２とリセット信号出力部２とを、それぞれ導電性のワイヤにより電気的に接続することで、金属板１３を閉回路になしている。なお、この金属板１３の面積を大きくするほど、また、この端子１３１，１３２の距離を大きくするほど、ノイズ信号を検出する部分が多くなるので、より効率よくノイズ信号を検出することができる。さらに、ノイズ信号により暴走すると思われる回路部に近い位置に、金属板１３が配置されるほど、ノイズ信号を受けて制御不能となった場合に、より確実に復帰させることが可能となって、リセット信号発生装置としての信頼度が向上する。なお、この金属板１３は、導電性のワイヤ以外の、ケースＡ内の導電体には接触しないように設けられている。
【００４３】
このように、リセット信号発生装置は、ノイズ信号を検出する金属板１３を備えているので、より効率よくノイズ信号を検出することが可能となり、制御不能となった電子回路をより確実に復帰させることが可能となる。
【００４４】
以上、本発明の好適な実施の形態を説明したが、本発明はこの実施の形態に限らず、種々の形態で実施することができる。
【００４５】
【発明の効果】
上記のように本発明の請求項１に記載のリセット信号発生装置は、電子回路を初期化させるリセット信号を生成出力するリセット信号発生装置であって、ノイズ信号を検出可能に形成されると共に、その検出したノイズ信号に対応したノイズ電圧値を生成出力するアンテナ体と、前記ノイズ電圧値及び所定の電圧値を比較して、前記ノイズ電圧値が所定の電圧値より大きい又は小さいときに、前記リセット信号を生成して前記電子回路に出力するリセット信号出力部と、を備えたので、ノイズ信号により制御不能となった電子回路を手動で初期化させる従来と異なって、電子回路のリセットを容易に自動的に行なわせることが可能になる、という効果を奏する。
【００４６】
本発明の請求項２記載のリセット信号発生装置によれば、上記の効果に加えて、前記アンテナ体は、前記電子回路を設けたプリント基板にパターン形成されてなるので、電子回路をプリント基板上に形成するときに、アンテナ体をも同様の工程で形成することができ、アンテナ体を形成する手間を低減することが可能になる、という効果を奏する。
【００４７】
本発明の請求項３記載のリセット信号発生装置によれば、上記の効果に加えて、前記アンテナ体は、導電性のワイヤからなり、前記電子回路を収納するケース内の空隙部分に設けられたので、電子回路を制御不能にするノイズ信号を、より電子回路に近接した位置で検出することができ、より精度よくノイズ信号を検出することが可能になる、という効果を奏する。
【００４８】
本発明の請求項４記載のリセット信号発生装置によれば、上記の効果に加えて、前記アンテナ体は、導電性のワイヤからなり、前記電子回路を収納するケース内に配線されている配線ケーブルに並設されたので、ノイズ信号がその配線ケーブルに干渉して、電子回路が制御不能となる場合に、その干渉するノイズ信号をより確実に検出して、制御不能状態から復帰させることが可能になる、という効果を奏する。
【００４９】
本発明の請求項５記載のリセット信号発生装置によれば、上記の効果に加えて、前記アンテナ体は、前記電子回路を収納するケースの内方に設けられた金属板でもって形成されたので、より効率よくノイズ信号を検出することが可能になる、という効果を奏する。
【００５０】
本発明の請求項６記載のリセット信号発生装置によれば、上記の効果に加えて、前記リセット信号出力部は、前記リセット信号の出力時間を変更自在に形成されると共に、その出力時間を制御する出力時間制御手段をも備えたので、リセット信号の出力時間を自在に変更することができ、より確実に制御不能状態から復帰させることが可能になる、という効果を奏する。
【００５１】
本発明の請求項７記載のネットワーク機器によれば、請求項１乃至請求項６のに記載のリセット信号発生装置を備えているので、このネットワーク機器が制御不能状態に陥った場合に、自動的に復帰することができる、という効果を奏する。
【図面の簡単な説明】
【図１】本発明に係わるリセット信号発生装置の第１の実施形態を示す構成図である
【図２】上記リセット信号発生装置を搭載したネットワーク機器の上面図である
【図３】本発明に係わるリセット信号発生装置の第２の実施形態を示す構成図である
【図４】本発明に係わるリセット信号発生装置の第３の実施形態におけるネットワーク機器の上面図である
【図５】本発明に係わるリセット信号発生装置の第４の実施形態におけるネットワーク機器の側面図である
【符号の説明】
１　　　アンテナ体
１０　　金属ワイヤ
１１　　導電路
１２　　金属ワイヤ
１３　　金属板
２　　　リセット信号出力部
３　　　電子回路部
６３　　フラットケーブル
Ａ　　　ケース
Ａ１　　プリント基板
Ａ２　　プリント基板
Ｈ　　　スイッチングハブ
【図１】
2004032241.tif 000003
【図２】
2004032241.tif 000004
【図３】
2004032241.tif 000005
【図４】
2004032241.tif 000006
【図５】
2004032241.tif 000007